(57)【要約】【課題】  遊技機の管理性を悪化させることなく、枠体のガタツキを未然に防止する。【解決手段】  本体枠３と外枠２とを鉤部１６ａと係合片２ｂとの係合による機械的な閉状態の保持に加えて、永久磁石２４と磁性部材２５との磁気吸引力を利用して本体枠３と外枠２とを密着させて閉状態を保持するとともに、施錠機構１４（外枠施錠部材１６）の作動に連動させて永久磁石２４を変位させる。これにより、木製の外枠２と樹脂製の本体枠３との間でガタツキが発生することを確実に防止することができるとともに、素早く本体枠３を開くことができ、遊技機の整備又は調整を容易に行うことができる。【選択図】  図５
2006174944.tif 000002
【特許請求の範囲】
【請求項１】
互いに揺動可能に連結された、略矩形枠状の第１枠体及び第２枠体と、
前記第２枠体及び前記第１枠体のうちいずれか一方に固定され、他方側に係合することにより一方の枠体が他方の枠体に対して揺動することを禁止する施錠機構と、
前記第２枠体と前記第１枠体とを密着させる磁気吸引力を発生させる磁気吸着機構とを有し、
前記磁気吸着機構は、前記施錠機構の作動に連動して前記磁気吸引力を増減させるように構成されていることを特徴とする遊技機。
【請求項２】
前記施錠機構は、
挿入された鍵と共に回転するシリンダを有するシリンダ錠と、
係合用の鉤部を有し、前記シリンダの回転に連動して往復運動する施錠部材とを備えて構成され、
前記磁気吸着機構は、前記第２枠体及び前記第１枠体のうちいずれか一方側に配置された永久磁石、及び他方側に配置された強磁性材料からなる磁性部材を有して構成されており、
さらに、前記磁気吸着機構は、前記施錠機構の作動に連動して、前記永久磁石又は前記磁性部材を前記施錠部材の運動方向と略直交する方向に変位させることにより、前記永久磁石と前記磁性部材との磁気ギャップを増減させて前記磁気吸引力を増減させることを特徴とする請求項１に記載の遊技機。
【請求項３】
前記第２枠体は、制御機器が組み付けられた樹脂製の本体枠であり、
さらに、前記第１枠体は、前記制御機器を覆うように形成された木製の外枠であることを特徴とする請求項１又は２に記載の遊技機。
【発明の詳細な説明】
【技術分野】
【０００１】
本発明は、遊技機に関するもので、パチンコ遊技機やアレンジボール遊技機等の弾球遊技機に適用して有効である。
【背景技術】
【０００２】
パチンコ遊技機等は、矩形枠状の外枠、外枠に揺動開閉可能に組み付けられた本体枠（文献によっては、中枠とも言う。）、及び本体枠に揺動開閉可能に前枠等を有して構成されており、通常、本体枠の前面側には遊技盤が配置され、本体枠の裏面側には電子制御装置等が配置されている。
【０００３】
また、本体枠及び前枠の閉じた状態は、本体枠に施錠機構を設けるとともに、この施錠機構に設けられた鉤部材を外枠及び前枠に係合させることにより機械的に保持されている（例えば、特許文献１参照）。
【０００４】
また、例えば特許文献２に記載の発明では、遊技盤枠に遊技者が遊技盤を視認するための視認窓（開口部）を設けるとともに、この視認窓を開閉するガラス枠に被磁着板を設け、一方、遊技盤枠に被磁着板を吸引する磁石を配置してガラス枠が不必要なときに開くことを防止している。
【特許文献１】特開２００４−９７６７９号公報
【特許文献２】特開２００３−２３６１９１号公報
【発明の開示】
【発明が解決しようとする課題】
【０００５】
ところで、本体枠と前枠、又は本体枠と外枠とは、施錠機構にてその閉じた状態が保持されるが、枠体を構成する部材の経年変化や温度又は湿度による膨張収縮等により、枠体と枠体とを密着させて閉状態を保持することが困難となり、枠体のガタツキを招く場合がある。
【０００６】
また、外枠は、通常、木材にて構成されているため、温度や湿度の影響を強く受けて膨張収縮するのに対して、本体枠は、通常、樹脂製であるため、外枠ほど強く温度や湿度の影響を受けない。このため、特許文献１に記載の発明のように、鉤部材を外枠に係合させるといった機械的な保持手段のみでは、特に、外枠と本体枠とについては、ガタツキを招くおそれが高い。
【０００７】
これに対しては、機械的な保持手段に加えて、特許文献２に記載の発明のように、磁気吸引力を利用してガタツキを防止するといった手段が考えられる。
しかし、この手段では、施錠機構を作動させて係合状態を解除した後、磁気吸引力を上回る力を本体枠に作用させて本体枠を開く必要があるので、本体枠を開く際に大きな操作力を必要とするとともに、素早く本体枠を開くことができなくなるので、遊技機の整備又は調整が行い難くなり、遊技機の管理性が悪化する。
【０００８】
本発明は、上記点に鑑み、遊技機の管理性を悪化させることなく、枠体のガタツキを未然に防止することを目的とする。
【課題を解決するための手段】
【０００９】
本発明は、上記目的を達成するために、請求項１に記載の発明では、互いに揺動可能に連結された、略矩形枠状の第１枠体（２）及び第２枠体（３）と、第２枠体（３）及び第１枠体（２）のうちいずれか一方に固定され、他方側に係合することによりいずれか一方の枠体が他方の枠体に対して揺動することを禁止する施錠機構（１４）と、第２枠体（３）と第１枠体（２）とを密着させる磁気吸引力を発生させる磁気吸着機構（２３）とを有し、磁気吸着機構（２３）は、施錠機構（１４）の作動に連動して磁気吸引力を増減させるように構成されていることを特徴とする。
【００１０】
これにより、本発明では、第２枠体（３）と第１枠体（２）とが係合することによる機械的な閉状態の保持に加えて、磁気吸引力を利用して第２枠体（３）と第１枠体（２）とを密着させて閉状態を保持するので、第１枠体（２）と第２枠体（３）との間でガタツキが発生することを確実に防止することができる。
【００１１】
また、施錠機構（１４）の作動に連動して第２枠体（３）と第１枠体（２）との間に作用する磁気吸引力を増減させるので、施錠機構（１４）を作動させて係合状態を解除した後、磁気吸引力を上回る力を第２枠体（３）に作用させることなく第２枠体（３）を開くことができる。
【００１２】
したがって、例えば第２枠体（３）を開く際に大きな操作力を必要としないので、素早く第２枠体（３）を開くことができ、遊技機の整備又は調整を容易に行うことができる。延いては、遊技機の管理性を悪化させることなく、枠体のガタツキを未然に防止することができる。
【００１３】
なお、磁気吸着機構（２３）は、例えば第２枠体（３）と第１枠体（２）との間の磁気ギャップを施錠機構（１４）の作動に連動して増減させることにより、施錠機構（１４）の作動に連動して磁気吸引力を増減させるように構成してもよい。
【００１４】
また、磁気吸着機構（２３）を、例えば第２枠体（３）及び第１枠体（２）のうちいずれか一方側に配置された永久磁石、及び他方側に配置された強磁性材料からなる磁性部材を有して構成するとともに、永久磁石及び磁性部材のうち少なくとも一方を他方に対して変位させて永久磁石と磁性部材との磁気ギャップを増減させてもよい。
【００１５】
請求項２に記載の発明は、施錠機構（１４）は、挿入された鍵と共に回転するシリンダを有するシリンダ錠（１９）と、係合用の鉤部（１６ａ）を有し、シリンダの回転に連動して往復運動する施錠部材（１６）とを備えて構成されている。そして、磁気吸着機構（２３）は、第２枠体（３）及び第１枠体（２）のうちいずれか一方側に配置された永久磁石（２４）、及び他方側に配置された強磁性材料からなる磁性部材（２５）を有して構成されている。さらに、磁気吸着機構（２３）は、施錠機構（１４）の作動に連動して、永久磁石（２４）又は磁性部材（２５）を施錠部材（１６）の運動方向と略直交する方向に変位させることにより、永久磁石（２４）と磁性部材（２５）との磁気ギャップを増減させることを特徴とする。
【００１６】
ところで、一般的な遊技機では、施錠部材（１６）の運動方向と平行な方向に比べて、施錠部材（１６）の運動方向と略直交する方向の方が寸法（空間）の余裕がある場合が多い。したがって、請求項２に記載の発明のようにすれば、例えば永久磁石（２４）又は磁性部材（２５）を施錠部材（１６）の運動方向と略平行な方向に変位させる場合に比べて、容易に磁気吸着機構（２３）を構成することができるので、遊技機の設計自由度を向上させることができる。
【００１７】
因みに、請求項２に記載の発明のごとく、磁気ギャップ（Ｇ）を増減させるにあたっては、永久磁石（２４）を磁性部材（２５）に対して変位させることが望ましい。
なお、本発明は、請求項３に記載の発明のごとく、第２枠体（３）を制御機器が組み付けられた樹脂製の本体枠とし、第１枠体（２）を制御機器を覆うように形成された木製の外枠とした遊技機に適用すると、特に有効である。
【００１８】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００１９】
以下に本発明の実施形態を図面と共に説明する。
（第１実施形態）
本実施形態は、本発明に係る遊技機をパチンコ遊技機に適用したものであり、以下、本実施形態に係る遊技機１について図１〜図１１に基づいて説明する。
【００２０】
先ず、遊技機１本体の概略構造について図１〜図３に基づいて説明する。なお、図１は遊技機１を正面側から見た斜視図であり、図２は遊技機１を裏面側から見た斜視図であり、図３は遊技盤８の正面図である。
【００２１】
本実施形態に係る遊技機１は、周知のパチンコ遊技機とほぼ同様であり、具体的には、遊技機１の前面部は、図１及び図２に示すように、木製の外枠２、樹脂製の本体枠（中枠）３、樹脂製の前枠４、樹脂製の上皿部５、樹脂製の下皿部６、及び発射ハンドル７等が設けられている。そして、本体枠３内には、遊技盤８及び払出制御部や図柄制御部等の制御機器が配設されている。なお、図１においては、遊技盤８の詳細図は省略されている。
【００２２】
ここで、本体枠３は、外枠２の左端側に設けられたヒンジ２ａを介して揺動開閉可能に外枠２に組み付けられ、前枠４は、本体枠３の前面に配置された状態で本体枠３の左端側にて本体枠３に対して揺動開閉可能に支持されている。
【００２３】
そして、前枠４には、遊技者が遊技盤８を視認することができるように略楕円状の視認窓（開口部）が設けられており、この視認窓は、ガラス又はアクリル等の透明な閉塞部材により閉塞されている。このため、遊技者は、閉塞部材を通して遊技盤８の盤面上を流下する遊技球の動きを視認することができる。
【００２４】
また、上皿部５は、本体枠３の前面であって、かつ、前枠４の下側に配置されて本体枠３の左端側にて本体枠３に揺動開閉可能に支持されており、この上皿部５には、上皿部５に溜まった遊技球を下皿部６に流下させるための排出口及びこの排出口を開閉するための玉抜きボタンや遊技球の貸出・返却ボタンが設けられている。
【００２５】
そして、上皿部５の下方に設けられた下皿部６には、下皿部６に貯留された遊技球を遊技機１から排出するめの排出口や灰皿等が設けられ、発射ハンドル７は、下皿部６の右側に配置された遊技球の発射装置ユニット（図示せず。）を操作する操作手段である。
【００２６】
なお、外枠２と本体枠３、本体枠３と前枠４、本体枠３と上皿部５、及び本体枠３と下皿部６とは、後述する施錠機構１４によりその閉状態が保持されている。
また、遊技盤８には、図３に示すように、略円形状の遊技領域８ａが形成されており、この遊技領域８ａ内には、中央装置９と、第１始動口１０、変動入賞装置１１、第２始動口１２、普通図柄作動ゲート１３、及び多数本の障害釘（図示せず。）等が設けられている。
【００２７】
中央装置９は、遊技領域８ａの略中央部に位置し、主に演出用の図柄を表示する演出表示装置９ａを有して構成されており、この演出表示装置９ａでは、遊技状態に応じた演出用の図柄が表示される。なお、本実施形態に係る演出表示装置９ａは、液晶パネルにて構成されているが、本実施形態はこれに限定されるものではなく、例えばドットマトリックス型の表示器や７セグメント型の表示器等にて構成してもよい。
【００２８】
そして、例えば遊技球が第１始動口１０又は第２始動口１２に入球すると、演出表示装置９ａに表示される演出用の図柄、及び特別図柄表示装置９ｂに表示される特別図柄が変動表示された後に停止表示される。
【００２９】
また、遊技球が普通図柄作動ゲート１３を通過したことが検知されると、普通図柄表示装置９ｃ表示される普通図柄が変動して、所定時間経過後に特定の図柄にて図柄が停止表示されると、第１始動口１０が所定時間（例えば、０．５秒）開放される。
【００３０】
なお、第１始動口１０は、いわゆるチューリップ式で左右に一対の翼片部が開閉することにより、入賞口を開閉するものであり、変動入賞装置１１は、変動入賞装置１１の略中央に位置して帯状に開口した大入賞口１１ａ、及び大入賞口１１ａを開閉する開閉板１１ｂ等から構成されている。
【００３１】
次に、図４〜図１０に基づいて施錠機構１４について説明する。
なお、図４は施錠機構１４の全体を示す二面図であり、図５及び図７は図１４のＡ部拡大図であり、図６及び図８は図１４のＢ部拡大図であり、図９は外枠２の上部右端を示す図であり、図１０は外枠２の下部右端を示す図である。
【００３２】
施錠機構１４は、本体枠３のうち正面から見て本体枠３の右側、つまりヒンジ２ａ側と反対側にネジ等の機械的締結手段により固定されており、この施錠機構１４は、後述する鉤部１６ａ、１７ａ、１８ａを外枠２の係合片２ｂ等に係合させることにより本体枠３や前枠４等の閉状態を保持するもので、その基本構造は、公知の遊技機（例えば、特開２００４−９７６７９号公報）と同様である。
【００３３】
そして、図４中、べースプレート１５は、断面がＪ字状又はＬ字状に成形された基枠であり、このべースプレート１５には、外枠施錠部材１６、前枠施錠部材１７、皿部施錠部材１８及びシリンダ錠１９等が組み付けられている。なお、外枠施錠部材１６、前枠施錠部材１７及び皿部施錠部材１８は、ＳＰＣＣ等の鋼板にプレス加工を施すことにより製造されている。
【００３４】
また、外枠施錠部材１６は、べースプレート１５の長手方向に沿って変位することができるように組み付けられており、この外枠施錠部材１６の長手方向両端側、つまり外枠２の右端側上下端に相当する部位には、外枠２に固定された係合片２ｂに係合する鉤状の鉤部１６ａが形成されている。そして、外枠施錠部材１６を変位させることにより、鉤部１６ａと係合片２ｂとを係合又は係合解除して本体枠３の閉状態保持又は解除を行う。
【００３５】
なお、本実施形態に係る外枠施錠部材１６は、特開２００４−９７６７９号公報に記載のべースプレート（基枠）１５と同様に２本の連結部材をべースプレート１５の長手方向略中央部で連結して構成されている。
【００３６】
また、前枠施錠部材１７も外枠施錠部材１６と同様に、べースプレート１５の長手方向に沿って変位することができるように組み付けられており、この前枠施錠部材１７の長手方向両端側、つまり前枠４の右端側上下端に相当する部位には、前枠４に設けられた係合片（図示せず。）に係合する鉤状の鉤部１７ａが形成されている。そして、前枠施錠部材１７を変位させることにより、鉤部１７ａと係合片とを係合又は係合解除して前枠４の閉状態保持又は解除を行う。
【００３７】
また、皿部施錠部材１８も外枠施錠部材１６と同様に、べースプレート１５の長手方向に沿って変位することができるように組み付けられており、この皿部施錠部材１８の上端側には、上皿部５に設けられた係合片（図示せず。）に係合する鉤状の鉤部１８ａが形成され、一方、下端側には、下皿部６に設けられた係合片（図示せず。）に係合する鉤状の鉤部１８ｂが形成されている。そして、皿部施錠部材１８を変位させることにより、鉤部１８ａ、１８ｂと係合片とを係合又は係合解除して上皿部５及び下皿部６の閉状態保持又は解除を行う。
【００３８】
また、シリンダ錠１９は、挿入された鍵と共に回転するシリンダ１９ａを有する、いわゆるキーシリンダであり、シリンダ１９ａのべースプレート１５側端部には、シリンダ１９ａに挿入された鍵の回転に連動して外枠施錠部材１６及び前枠施錠部材１７を変位させる略Ｖ字状のカム１９ｂが組み付けられている。
【００３９】
そして、シリンダ１９ａに鍵を挿入した状態で、鍵を特定の向き（例えば、右回りの向き）に回転させると外枠施錠部材１６のみが変位し、鍵を特定の向きと逆向き（例えば、左回りの向き）に回転させると前枠施錠部材１７のみが変位する。
【００４０】
また、本実施形態では、外枠施錠部材１６が下方側（図４及び図５に示す状態）に位置するときには、鉤部１６ａと係合片２ｂとが係合した状態となり、かつ、バネ２０ａ、２０ｂは、この係合状態を保持する向き（本実施形態では、下向き）の弾性力を外枠施錠部材１６に作用させる。
【００４１】
そして、シリンダ１９ａに鍵を挿入した状態で鍵を右回りに回すと、外枠施錠部材１６は上方側に変位して、鉤部１６ａと係合片２ｂとの係合状態に解除され、鍵を回す力を緩めると、バネ２０ａ、２０ｂの弾性力により外枠施錠部材１６は下方側に戻る。
【００４２】
また、前枠施錠部材１７が上方側（図８に示す状態）に位置するときには、鉤部１７ａと前枠４の係合片とが係合した状態となり、かつ、バネ２０ｃは、この係合状態を保持する向き（本実施形態では、上向き）の弾性力を前枠施錠部材１７に作用させる。
【００４３】
そして、シリンダ１９ａに鍵を挿入した状態で鍵を左回りに回すと、前枠施錠部材１７は下方側に変位して、鉤部１７ａと前枠４の係合片との係合状態に解除されるともに、その状態が保持され、鍵を回す力を緩めても、前枠施錠部材１７は元の位置（上方側）に戻らなくなる。なお、この保持された解除状態は、レバー２１を押し下げるように回転させることにより解除される。
【００４４】
因みに、通常、レバー２１の先端は、前枠４の裏面側に接触するように構成されているため、前枠４を閉じるように本体枠３に押し付けることにより、解除状態が解除されて前枠施錠部材１７がバネ２０ｃの弾性力により上方側に変位し、鉤部１７ａと前枠４の係合片とが係合してその状態を保持される。
【００４５】
また、皿部施錠部材１８の鉤部１８ａ、１８ｂは、バネ２０ａの弾性力により上皿部５及び下皿部６の係合片との係合状態が保持されており、本体枠３を開いた状態で、バネ２０ａの弾性力と対向する向き（本実施形態では、下方側）にレバー２２をスライドさせることにより係合状態が解除される。
【００４６】
ところで、外枠施錠部材１６の長手方向両端側には、本体枠３と外枠２とを密着させる磁気吸引力を発生させる磁気吸着機構２３が設けられている。この磁気吸着機構２３は、施錠機構１４（本実施形態では、外枠施錠部材１６）の作動に連動して、本体枠３と外枠２とを密着させる磁気吸引力を増減させる機構である。
【００４７】
以下、磁気吸着機構２３の詳細を、図５〜図１０に基づいて説明する。
磁気吸着機構２３は、施錠機構１４側に設置されて外枠施錠部材１６の変位と連動して変位する永久磁石２４、外枠２に固定された強磁性材料からなる磁性部材２５、及び永久磁石２４を変位させて永久磁石２４と磁性部材２ｃとの磁気ギャップｇ（図７又は図８参照）を増減させる変位機構２６を有して構成されている。
【００４８】
そして、変位機構２６は、外枠施錠部材１６に固定されて外枠施錠部材１６と一体的に往復運動する第１ラック２６ａ、第１ラック２６ａと噛み合うピニオン２６ｂ、第１ラック２６ａと直交する方向に延びてピニオン２６ｂと噛み合う第２ラック２６ｃ、及び第２ラック２６ｃ及び永久磁石２４の往復運動を案内する案内部材２６ｄを有して構成されている。
【００４９】
なお、永久磁石２４は、第２ラック２６ｃの長手方向端部のうちピニオン２６ｂ側と反対側に接着剤にて固定されており、第２ラック２６ｃ及び永久磁石２４は、第２ラック２６ｃに形成されたピン２６ｅが、案内部材２６ｄに形成された溝２６ｆ内を摺動することにより、その往復運動が案内される。
【００５０】
また、本実施形態では、第１ラック２６ａ、第２ラック２６ｃ、ピニオン２６ｂ及び案内部材２６ｄは、全て樹脂製であり、第１ラック２６ａ及び案内部材２６ｄは、ネジ等の締結手段又はカシメにて施錠機構１４に固定されている。
【００５１】
また、本実施形態に係る磁性部材２５は、図９及び図１０に示すように、係合片２ｂとプレス成形にて一体成形されたもので、タッピングネジ等の締結手段にて外枠２に固定されている。
【００５２】
次に、磁気吸着機構２３の作動を説明する。
外枠施錠部材１６が上方側に位置しているとき、つまり鉤部１６ａと係合片２ｂとが係合しているときには、図５及び図６に示すように、永久磁石２４は磁性部材２５と接触又は近接する部位に位置する。
【００５３】
そして、シリンダ１９ａに鍵が挿入されて鍵（シリンダ１９ａ）が右回りに回されると、外枠施錠部材１６が上方側に変位するので、図７及び図８に示すように、これに連動して第１ラック２６ａが上方に変位してピニオン２６ｂが右回りに回転する同時に、第２ラック２６ｃが、紙面左側に変位する。このため、永久磁石２４が磁性部材２５から離れていくので、永久磁石２４と磁性部材２５と間の磁気吸引力、つまり本体枠３と外枠２とを密着させる磁気吸引力が減少していく。
【００５４】
また、鍵を回す力が緩められたときには、外枠施錠部材１６が下方側に変位するので、図５及び図６に示すように、これに連動して第１ラック２６ａが下方に変位してピニオン２６ｂが左回りに回転する同時に、第２ラック２６ｃが、紙面右側に変位する。このため、永久磁石２４が磁性部材２５側に近づいていくので、永久磁石２４と磁性部材２５と間の磁気吸引力、つまり本体枠３と外枠２とを密着させる磁気吸引力が増大していく。
【００５５】
次に、本実施形態に係る遊技機１の特徴を説明する。
本実施形態では、本体枠３と外枠２とを鉤部１６ａと係合片２ｂとの係合による機械的な閉状態の保持に加えて、永久磁石２４と磁性部材２５との磁気吸引力を利用して本体枠３と外枠２とを密着させて閉状態を保持するので、木製の外枠２と樹脂製の本体枠３との間でガタツキが発生することを確実に防止することができる。
【００５６】
また、施錠機構１４の作動に連動して永久磁石２４と磁性部材２５との間、つまり本体枠３と外枠２との間に作用する磁気吸引力を増減させるので、施錠機構１４を作動させて係合状態を解除した後、磁気吸引力を上回る力を本体枠３に作用させることなく本体枠３を開くことができる。
【００５７】
したがって、本体枠３を開く際に大きな操作力を必要としないので、素早く本体枠３を開くことができ、遊技機１の整備又は調整を容易に行うことができる。延いては、遊技機１の管理性を悪化させることなく、枠体のガタツキを未然に防止することができる。
【００５８】
（第２実施形態）
第１実施形態では、第１ラック２６ａ、第２ラック２６ｃ及びピニオン２６ｂにて永久磁石２４を変位させたが、本実施形態は、図１１に示すように、２本の平行リンク２７にて変位機構２６を構成して外枠施錠部材１６の鉛直方向運動を水平方向運動に変換して永久磁石２４を変位させるものである。
【００５９】
すなわち、外枠施錠部材１６から永久磁石２４までの距離は、リンク２６ｇの長さＬとリンク２６ｇの長手方向と外枠施錠部材１６の長手方向とのなす角θの正弦との積、つまり、（Ｌ・×ｓｉｎθ）で表されるので、リンク２６ｇが水平状態にあるときには、図１１（ｂ）に示すように、永久磁石２４は最も磁性部材２５に近づき、リンク２６ｇが鉛直状態に近づくと、図１１（ａ）に示すように、永久磁石２４は最も磁性部材２５から離れる。
【００６０】
ここで、図１１（ａ）は鍵を回した状態を示し、図１１（ｂ）は鍵が抜かれた状態又は鍵を回す力を緩めた状態を示している。このため、本実施形態においても、第１実施形態と同様に、遊技機１の管理性を悪化させることなく、枠体のガタツキを未然に防止することができる。
【００６１】
なお、本実施形態では、２本のリンク２６ｇを用いたが、本実施形態は、これに限定されるものではなく、１本又は３本以上のリンク２６ｇを用いても実施することができる。
（第３実施形態）
本実施形態は、図１２に示すように、永久磁石２４が変位したか否かを検知するセンサ２７を設けるとともに、その検知信号を遊技機１の制御機器（図示せず。）に送信するものである。
【００６２】
因みに、センサ２７は、磁界の大きさを検知する磁気センサ、又はリミットリスイッチ等の機械的なスイッチ等、その手段は一切問わない。
なお、図１２は第１実施形態に係る遊技機１にセンサ２７を設けた例であるが、本実施形態は、これに限定されるものではなく、例えば第１実施形態に係る遊技機１にセンサ２７を設けてもよい。
【００６３】
（その他の実施形態）
上述の実施形態では、永久磁石２４を変位させたが、本発明はこれに限定されるものではなく、これとは逆に磁性部材２５を変位させて永久磁石２４を外枠２に固定してもよい。
【００６４】
また、上述の実施形態では、永久磁石２４を変位させることにより、本体枠３と外枠２とを密着させる磁気吸引力を増減させたが、本発明はこれに限定されるものではなく、例えば、永久磁石２４に代えて電磁石を用いるとともに、本体枠３を開く向きに鍵を回したときには電磁石への通電を遮断して電磁吸引力を消滅させ、本体枠３を閉じる向きに鍵を回したときには、電磁石へ通電して磁気吸引を発生させてもよい。
【００６５】
また、永久磁石２４又は磁性部材２５を変位させる変位機構２６は、上述実施形態に示された構成に限定されるものではない。
また、磁性部材２５から永久磁石２４を離す向きの弾性力を与えるバネ手段を設けてもよい。なお、このようなバネを設ければ、永久磁石２４を磁性部材２５から引き離す力、つまり鍵を回す力を低減することができる。
【００６６】
また、永久磁石２４を磁性部材２５に接近させる向きの弾性力を与えるバネ手段を設けてもよい。なお、このようにすれば、鍵を回す力は増大するものの、永久磁石２４と磁性部材２５とを確実に近接させることができるので、本体枠３と外枠２とを確実に密着させることができる。
【００６７】
また、上述の実施形態では、本体枠３と外枠２との施錠に関して本発明を適用したが、本発明はこれに限定されるものではなく、例えば本体枠３と前枠４との施錠に関して適用してもよい。
【００６８】
また、上述の実施形態では、外枠２が木製であり、本体枠３が樹脂製であったが、本発明はこれに限定されるものではない。
また、本発明は、特許請求の範囲に記載された発明の趣旨に合致するものであればよく、上述の実施形態に限定されるものではない。
【図面の簡単な説明】
【００６９】
【図１】本発明の実施形態に係る遊技機を正面側から見た斜視図である。
【図２】本発明の実施形態に係る遊技機を裏面側から見た斜視図である。
【図３】本発明の実施形態に係る遊技機の遊技盤の正面図である。
【図４】本発明の第１実施形態に係る施錠機構の全体を示す二面図である。
【図５】図１４のＡ部拡大図である。
【図６】図１４のＢ部拡大図である。
【図７】図１４のＡ部拡大図である。
【図８】図１４のＢ部拡大図である。
【図９】本発明の実施形態に係る外枠の上部右端を示す図である。
【図１０】本発明の実施形態に係る外枠の下部右端を示す図である。
【図１１】本発明の第２実施形態に係る施錠機構の全体を示す二面図である。
【図１２】本発明の第３実施形態に係る遊技機の特徴を示す図である。
【符号の説明】
【００７０】
１…遊技機、２…外枠、２ａ…ヒンジ、２ｂ…係合片、２ｃ…磁性部材、
３…本体枠、４…前枠、５…上皿部、６…下皿部、７…発射ハンドル、８…遊技盤、
８ａ…遊技領域、９…中央装置、９ａ…演出表示装置、９ｂ…特別図柄表示装置、
９ｃ…普通図柄表示装置、１０…第１始動口、１１…変動入賞装置、
１１ａ…大入賞口、１２…第２始動口、１３…普通図柄作動ゲート、
１４…施錠機構、１５…べースプレート、１６…外枠施錠部材、１６ａ…鉤部、
１７…前枠施錠部材、１７ａ…鉤部、１８…皿部施錠部材、１８ａ…鉤部、
１８ｂ…鉤部、１９…シリンダ錠、１９ａ…シリンダ、１９ｂ…カム、
２０ａ〜２０ｃ…バネ、２１…レバー、２２…レバー、２３…磁気吸着機構、
２４…永久磁石、２５…磁性部材、２６…変位機構、２６ａ…第１ラック、
２６ｂ…ピニオン、２６ｃ…第２ラック、２６ｄ…案内部材、２６ｅ…ピン、
２６ｇ…リンク、２７…センサ、２７…平行リンク、ｇ…磁気ギャップ。
【図１】
2006174944.tif 000003
【図２】
2006174944.tif 000004
【図３】
2006174944.tif 000005
【図４】
2006174944.tif 000006
【図５】
2006174944.tif 000007
【図６】
2006174944.tif 000008
【図７】
2006174944.tif 000009
【図８】
2006174944.tif 000010
【図９】
2006174944.tif 000011
【図１０】
2006174944.tif 000012
【図１１】
2006174944.tif 000013
【図１２】
2006174944.tif 000014